(57)【要約】【課題】印刷物を作成、発送処理を迅速かつ確実に行うことができる注文処理プログラム、振り分けサーバ及び注文処理システム並びに注文処理方法の提供。【解決手段】注文主端末１で注文データを作成して振り分けサーバ１２に送信すると、振り分けサーバ１２は注文主情報に基づいて注文主の最寄りの第１の印刷物発送拠点を特定してデザイン情報と注文主情報とを送信し、第１の印刷物発送拠点はデザイン情報と注文主情報とに基づいてサンプル印刷物１３ａを作成して注文主に発送し、注文主がサンプル印刷物の確認情報を振り分けサーバ１２に送信すると、振り分けサーバ１２は宛先情報に基づいて各々の宛先の最寄りの第２の印刷物発送拠点を特定してデザイン情報と各々の宛先情報とを送信し、各々の第２の印刷物発送拠点はデザイン情報と各々の宛先情報とに基づいて印刷物１３を作成して各々の宛先に発送する。【選択図】図１
2007310556.tif 000002
【特許請求の範囲】
【請求項１】
コンピュータを、
印刷物に印刷するデザイン情報と、前記印刷物を発送する１又は複数の住所が記述された宛先情報と、注文主の住所が記述された注文主情報とを含む注文データを作成する注文データ作成手段、
前記注文データを所定のサーバに送信すると共に、前記所定のサーバから送信された前記デザイン情報と前記注文主情報とを受信した前記注文主の住所の最寄りの印刷物発送拠点で印刷されたサンプル印刷物に対する確認情報を前記所定のサーバに送信する注文指示手段、として機能させることを特徴とする注文処理プログラム。
【請求項２】
注文主の端末から、印刷物に印刷するデザイン情報と、前記印刷物を発送する１又は複数の住所が記述された宛先情報と、前記注文主の住所が記述された注文主情報とを含む注文データを受信し、前記注文主情報から前記注文主の住所の最寄りの第１の印刷物発送拠点を特定すると共に、前記宛先情報から前記印刷物の各々の発送先の住所の最寄りの１又は複数の第２の印刷物発送拠点を特定する発送拠点特定手段と、
前記注文主の端末から前記注文データを受信したら、前記第１の印刷物発送拠点に前記デザイン情報と前記注文主情報とを送信し、前記注文主の端末から、前記第１の印刷物発送拠点で前記デザイン情報に基づくデザインと前記注文主情報に基づく前記注文主の住所とが印刷されたサンプル印刷物に対する確認情報を受信したら、各々の前記第２の印刷物発送拠点に前記デザイン情報と該第２の印刷物発送拠点に対応する個々の前記宛先情報とを送信する振り分け手段と、を少なくとも備えることを特徴とする振り分けサーバ。
【請求項３】
注文主の指示に従って印刷物の印刷及び発送を行う印刷物発送拠点であって、
前記印刷物発送拠点は、前記注文主の住所の最寄りの第１の印刷物発送拠点と、前記印刷物を発送する１又は複数の住所の最寄りの１又は複数の第２の印刷物発送拠点とを含み、
前記第１の印刷物発送拠点は、所定のサーバから、前記印刷物に印刷するデザイン情報と前記注文主の住所が記述された注文主情報とを受信する拠点端末と、該拠点端末の指示に従って、前記デザイン情報に基づくデザインと前記注文主情報に基づく前記注文主の住所とが印刷されたサンプル印刷物を作成する印刷装置とを少なくとも備え、
各々の前記第２の印刷物発送拠点は、前記所定のサーバから、前記印刷物に印刷するデザイン情報と各々の前記第２の印刷物発送拠点に対応する個々の発送先の住所が記述された宛先情報とを受信する拠点端末と、該拠点端末の指示に従って、前記デザインと前記個々の前記宛先情報に基づく住所とが印刷された前記印刷物を作成する印刷装置とを少なくとも備えることを特徴とする印刷物発送拠点。
【請求項４】
注文主の端末と、振り分けサーバと、印刷物の作成及び発送を行う印刷物発送拠点とが通信ネットワークを介して接続されてなる注文処理システムであって、
前記注文主の端末は、
前記印刷物に印刷するデザイン情報と、前記印刷物を発送する１又は複数の住所が記述された宛先情報と、前記注文主の住所が記述された注文主情報とを含む注文データを作成する注文データ作成手段と、
前記注文データを前記振り分けサーバに送信すると共に、前記振り分けサーバから送信された前記デザイン情報と前記注文主情報とを受信した前記注文主の住所の最寄りの第１の印刷物発送拠点で印刷されたサンプル印刷物に対する確認情報を前記振り分けサーバに送信する注文指示手段と、を少なくとも備え、
前記振り分けサーバは、
前記注文主の端末から前記注文データを受信し、前記注文主情報から前記注文主の住所の最寄りの前記第１の印刷物発送拠点を特定すると共に、前記宛先情報から前記印刷物の各々の発送先の住所の最寄りの１又は複数の第２の印刷物発送拠点を特定する発送拠点特定手段と、
前記注文主の端末から前記注文データを受信したら、前記第１の印刷物発送拠点に前記デザイン情報と前記注文主情報とを送信し、前記注文主の端末から前記確認情報を受信したら、各々の前記第２の印刷物発送拠点に前記デザイン情報と該第２の印刷物発送拠点に対応する個々の前記宛先情報とを送信する振り分け手段と、を少なくとも備え、
前記第１の印刷物発送拠点は、前記振り分けサーバから前記デザイン情報と前記注文主情報とを受信する拠点端末と、該拠点端末の指示に従って、前記デザイン情報に基づくデザインと前記注文主情報に基づく前記注文主の住所とが印刷された前記サンプル印刷物を作成する印刷装置と、を少なくとも備え、
各々の前記第２の印刷物発送拠点は、前記振り分けサーバから前記デザイン情報と該第２の印刷物発送拠点に対応する個々の発送先の住所が記述された宛先情報とを受信する拠点端末と、該拠点端末の指示に従って、前記デザイン情報に基づくデザインと個々の前記宛先情報に基づく住所とが印刷された前記印刷物を作成する印刷装置と、を少なくとも備えることを特徴とする注文処理システム。
【請求項５】
注文主の端末と、振り分けサーバと、印刷物の作成及び発送を行う印刷物発送拠点とが通信ネットワークを介して接続されてなる注文処理システムであって、
前記注文主の端末は、
前記印刷物に印刷するデザイン情報と、前記印刷物を発送する１又は複数の住所が記述された宛先情報と、前記注文主の住所が記述された注文主情報とを含む注文データを作成する注文データ作成手段と、
前記注文データを前記振り分けサーバに送信すると共に、前記振り分けサーバから送信された前記デザイン情報と前記注文主情報とを受信した前記注文主の住所の最寄りの第１の印刷物発送拠点で印刷されたサンプル印刷物に対する確認情報を前記振り分けサーバに送信する注文指示手段と、を少なくとも備え、
前記振り分けサーバは、
前記注文主の端末から前記注文データを受信し、前記注文主情報から前記注文主の住所の最寄りの前記第１の印刷物発送拠点を特定すると共に、前記宛先情報から前記印刷物の各々の発送先の住所の最寄りの１又は複数の第２の印刷物発送拠点を特定する発送拠点特定手段と、
前記注文主の端末から前記注文データを受信したら、前記第１の印刷物発送拠点に前記デザイン情報と前記注文主情報とを送信し、前記注文主の端末から前記確認情報を受信したら、各々の前記第２の印刷物発送拠点に前記デザイン情報と該第２の印刷物発送拠点に対応する個々の前記宛先情報とを送信する振り分け手段と、
各々の前記第２の印刷物発送拠点の前記拠点端末から送信される前記印刷物の発送済み情報を受信し、全ての前記第２の印刷物発送拠点から前記発送済み情報を受信したら、前記注文主の端末に発送完了情報を通知する通知手段と、を少なくとも備え、
前記第１の印刷物発送拠点は、前記振り分けサーバから前記デザイン情報と前記注文主情報とを受信する拠点端末と、該拠点端末の指示に従って、前記デザイン情報に基づくデザインと前記注文主情報に基づく前記注文主の住所とが印刷された前記サンプル印刷物を作成する印刷装置と、を少なくとも備え、
各々の前記第２の印刷物発送拠点は、前記振り分けサーバから前記デザイン情報と該第２の印刷物発送拠点に対応する個々の発送先の住所が記述された宛先情報とを受信すると共に、前記印刷物を各々の宛先に発送したことを示す発送済み情報を前記振り分けサーバに送信する拠点端末と、該拠点端末の指示に従って、前記デザイン情報に基づくデザインと個々の前記宛先情報に基づく住所とが印刷された前記印刷物を作成する印刷装置と、を少なくとも備えることを特徴とする注文処理システム。
【請求項６】
注文主の端末と、振り分けサーバと、印刷物の作成及び発送を行う印刷物発送拠点とが通信ネットワークを介して接続されてなる注文処理システムにおける注文処理方法であって、
前記注文主の端末で、前記印刷物に印刷するデザイン情報と、前記印刷物を発送する１又は複数の住所が記述された宛先情報と、前記注文主の住所が記述された注文主情報とを含む注文データを作成するステップと、
前記注文データを前記振り分けサーバに送信するステップと、
前記注文データを受信した前記振り分けサーバで、前記注文主情報から前記注文主の住所の最寄りの第１の印刷物発送拠点を特定するステップと、
前記第１の印刷物発送拠点に前記デザイン情報と前記注文主情報とを送信するステップと、
前記デザイン情報と前記注文主情報とを受信した前記第１の印刷物発送拠点で、前記デザイン情報に基づくデザインと前記注文主情報に基づく前記注文主の住所とを印刷してサンプル印刷物を作成するステップと、
前記サンプル印刷物を受領し、前記注文主の端末から、前記サンプル印刷物に対する確認情報を前記振り分けサーバに送信するステップと、
前記確認情報を受信した前記振り分けサーバで、前記宛先情報から前記印刷物の各々の発送先の住所の最寄りの１又は複数の第２の印刷物発送拠点を特定するステップと、
各々の前記第２の印刷物発送拠点に前記デザイン情報と該第２の印刷物発送拠点に対応する個々の前記宛先情報とを送信するステップと、
前記デザイン情報と個々の前記宛先情報とを受信した各々の前記第２の印刷物発送拠点で、前記デザイン情報に基づくデザインと個々の前記宛先情報に基づく住所とを印刷して前記印刷物を作成するステップと、を少なくとも備えることを特徴とする注文処理方法。
【請求項７】
注文主の端末と、振り分けサーバと、印刷物の作成及び発送を行う印刷物発送拠点とが通信ネットワークを介して接続されてなる注文処理システムにおける注文処理方法であって、
前記注文主の端末で、前記印刷物に印刷するデザイン情報と、前記印刷物を発送する１又は複数の住所が記述された宛先情報と、前記注文主の住所が記述された注文主情報とを含む注文データを作成するステップと、
前記注文データを前記振り分けサーバに送信するステップと、
前記注文データを受信した前記振り分けサーバで、前記注文主情報から前記注文主の住所の最寄りの第１の印刷物発送拠点を特定するステップと、
前記第１の印刷物発送拠点に前記デザイン情報と前記注文主情報とを送信するステップと、
前記デザイン情報と前記注文主情報とを受信した前記第１の印刷物発送拠点で、前記デザイン情報に基づくデザインと前記注文主情報に基づく前記注文主の住所とを印刷してサンプル印刷物を作成するステップと、
前記サンプル印刷物を受領し、前記注文主の端末から、前記サンプル印刷物に対する確認情報を前記振り分けサーバに送信するステップと、
前記確認情報を受信した前記振り分けサーバで、前記宛先情報から前記印刷物の各々の発送先の住所の最寄りの１又は複数の第２の印刷物発送拠点を特定するステップと、
各々の前記第２の印刷物発送拠点に前記デザイン情報と該第２の印刷物発送拠点に対応する個々の前記宛先情報とを送信するステップと、
前記デザイン情報と個々の前記宛先情報とを受信した前記第２の印刷物発送拠点で、前記デザイン情報に基づくデザインと個々の前記宛先情報に基づく住所とを印刷して前記印刷物を作成するステップと、
前記第２の印刷物発送拠点から前記印刷物を発送後、該印刷物を発送したことを示す発送済み情報を前記振り分けサーバに送信するステップと、
前記振り分けサーバで、各々の前記第２の印刷物発送拠点の前記端末から送信される前記印刷物の発送済み情報を受信し、前記印刷物を作成した全ての前記第２の印刷物発送拠点から前記発送済み情報を受信したら、前記注文主の端末に発送完了情報を送信するステップと、
前記注文主の端末で前記発送完了情報を受信するステップと、を少なくとも備えることを特徴とする注文処理方法。
【発明の詳細な説明】
【技術分野】
【０００１】
本発明は、注文処理プログラム、振り分けサーバ及び注文処理システム並びに注文処理方法に関し、特に、画像データを利用した注文を処理するための注文処理プログラム、振り分けサーバ及び注文処理システム並びに注文処理方法に関する。
【背景技術】
【０００２】
近年、写真画像に関する様々なサービスが提供されている。例えば、ミニラボ等の写真店にデジタルカメラやデジタルカメラ用メディアなどを持ち込むと、写真店では、デジタルカメラやメディアから画像データを読み取り、読み取った画像データをＣＤ−Ｒ、ＤＶＤ−Ｒなどの記録媒体に書き込んでユーザに提供するサービスを行っている（例えば、下記特許文献１参照）。
【０００３】
また、画像データのみならず、画像データを用いた各種処理（例えば、画像データをスライドショーとして表示するためのデータを作成したり、写真プリントやポストカード、カレンダーなどの印刷物を作成する処理など）を実行するアプリケーションを記録媒体に書き込んでユーザに提供するサービスも行っている。
【０００４】
【特許文献１】特開２００３−２５００１６号公報（第３−６頁、第１図）
【発明の開示】
【発明が解決しようとする課題】
【０００５】
上記アプリケーションを利用してポストカードを作成する場合、画像データやテンプレートデータを用いてポストカードに印刷するデザインを作成し、そのデザイン情報を写真店などに送り、写真店でそのデザイン情報に基づいてポストカードを作成する方法が利用される。
【０００６】
しかしながら、写真店にポストカードの作成を依頼する方法では、写真店でポストカードにデザインを印刷する処理、印刷したポストカードをユーザに発送する処理、ユーザが各々のポストカードに宛先を書き込む処理、宛先を書き込んだポストカードを投函する処理、投函したポストカードを宛先の発送拠点に発送する処理、各々の発送拠点から各々の宛先にポストカードを発送する処理などが必要であり、各々の処理で時間を要するため、迅速にポストカードを作成し発送することができないという問題が生じる。
【０００７】
また、写真店でポストカードを印刷する場合、ユーザがコンピュータ端末上で作成したデザインのイメージとポストカードに実際に印刷されたデザインのイメージとが合致しない場合が生じることから、事前にポストカードのサンプルを作成する場合もあるが、この場合は、ユーザが写真店に出向いてポストカードの出来映えを確認しなければならず、ポストカードの作成、発送に更に時間がかかってしまうという問題が生じる。
【０００８】
このような問題はポストカードに限らず、画像データを使用して作成したデザインを印刷した印刷物を発送する処理全般に対して同様に生じる。
【０００９】
本発明は、上記問題点に鑑みてなされたものであって、その主たる目的は、画像データを利用して印刷物を作成し発送する処理を迅速かつ確実に行うことができる注文処理プログラム、振り分けサーバ及び注文処理システム並びに注文処理方法を提供することにある。
【課題を解決するための手段】
【００１０】
上記目的を達成するため、本発明の注文処理プログラムは、コンピュータを、印刷物に印刷するデザイン情報と、前記印刷物を発送する１又は複数の住所が記述された宛先情報と、注文主の住所が記述された注文主情報とを含む注文データを作成する注文データ作成手段、前記注文データを所定のサーバに送信すると共に、前記所定のサーバから送信された前記デザイン情報と前記注文主情報とを受信した前記注文主の住所の最寄りの印刷物発送拠点で印刷されたサンプル印刷物に対する確認情報を前記所定のサーバに送信する注文指示手段、として機能させるものである。
【００１１】
また、本発明の振り分けサーバは、注文主の端末から、印刷物に印刷するデザイン情報と、前記印刷物を発送する１又は複数の住所が記述された宛先情報と、前記注文主の住所が記述された注文主情報とを含む注文データを受信し、前記注文主情報から前記注文主の住所の最寄りの第１の印刷物発送拠点を特定すると共に、前記宛先情報から前記印刷物の各々の発送先の住所の最寄りの１又は複数の第２の印刷物発送拠点を特定する発送拠点特定手段と、前記注文主の端末から前記注文データを受信したら、前記第１の印刷物発送拠点に前記デザイン情報と前記注文主情報とを送信し、前記注文主の端末から、前記第１の印刷物発送拠点で前記デザイン情報に基づくデザインと前記注文主情報に基づく前記注文主の住所とが印刷されたサンプル印刷物に対する確認情報を受信したら、各々の前記第２の印刷物発送拠点に前記デザイン情報と該第２の印刷物発送拠点に対応する個々の前記宛先情報とを送信する振り分け手段と、を少なくとも備えるものである。
【００１２】
また、本発明の印刷物発送拠点は、注文主の指示に従って印刷物の印刷及び発送を行う印刷物発送拠点であって、前記印刷物発送拠点は、前記注文主の住所の最寄りの第１の印刷物発送拠点と、前記印刷物を発送する１又は複数の住所の最寄りの１又は複数の第２の印刷物発送拠点とを含み、前記第１の印刷物発送拠点は、所定のサーバから、前記印刷物に印刷するデザイン情報と前記注文主の住所が記述された注文主情報とを受信する拠点端末と、該拠点端末の指示に従って、前記デザイン情報に基づくデザインと前記注文主情報に基づく前記注文主の住所とが印刷されたサンプル印刷物を作成する印刷装置とを少なくとも備え、各々の前記第２の印刷物発送拠点は、前記所定のサーバから、前記印刷物に印刷するデザイン情報と各々の前記第２の印刷物発送拠点に対応する個々の発送先の住所が記述された宛先情報とを受信する拠点端末と、該拠点端末の指示に従って、前記デザインと前記個々の前記宛先情報に基づく住所とが印刷された前記印刷物を作成する印刷装置とを少なくとも備えるものである。
【００１３】
また、本発明のシステムは、注文主の端末と、振り分けサーバと、印刷物の作成及び発送を行う印刷物発送拠点とが通信ネットワークを介して接続されてなる注文処理システムであって、前記注文主の端末は、前記印刷物に印刷するデザイン情報と、前記印刷物を発送する１又は複数の住所が記述された宛先情報と、前記注文主の住所が記述された注文主情報とを含む注文データを作成する注文データ作成手段と、前記注文データを前記振り分けサーバに送信すると共に、前記振り分けサーバから送信された前記デザイン情報と前記注文主情報とを受信した前記注文主の住所の最寄りの第１の印刷物発送拠点で印刷されたサンプル印刷物に対する確認情報を前記振り分けサーバに送信する注文指示手段と、を少なくとも備え、前記振り分けサーバは、前記注文主の端末から前記注文データを受信し、前記注文主情報から前記注文主の住所の最寄りの前記第１の印刷物発送拠点を特定すると共に、前記宛先情報から前記印刷物の各々の発送先の住所の最寄りの１又は複数の第２の印刷物発送拠点を特定する発送拠点特定手段と、前記注文主の端末から前記注文データを受信したら、前記第１の印刷物発送拠点に前記デザイン情報と前記注文主情報とを送信し、前記注文主の端末から前記確認情報を受信したら、各々の前記第２の印刷物発送拠点に前記デザイン情報と該第２の印刷物発送拠点に対応する個々の前記宛先情報とを送信する振り分け手段と、を少なくとも備え、前記第１の印刷物発送拠点は、前記振り分けサーバから前記デザイン情報と前記注文主情報とを受信する拠点端末と、該拠点端末の指示に従って、前記デザイン情報に基づくデザインと前記注文主情報に基づく前記注文主の住所とが印刷された前記サンプル印刷物を作成する印刷装置と、を少なくとも備え、各々の前記第２の印刷物発送拠点は、前記振り分けサーバから前記デザイン情報と該第２の印刷物発送拠点に対応する個々の発送先の住所が記述された宛先情報とを受信する拠点端末と、該拠点端末の指示に従って、前記デザイン情報に基づくデザインと個々の前記宛先情報に基づく住所とが印刷された前記印刷物を作成する印刷装置と、を少なくとも備えるものである。
【００１４】
また、本発明のシステムは、注文主の端末と、振り分けサーバと、印刷物の作成及び発送を行う印刷物発送拠点とが通信ネットワークを介して接続されてなる注文処理システムであって、前記注文主の端末は、前記印刷物に印刷するデザイン情報と、前記印刷物を発送する１又は複数の住所が記述された宛先情報と、前記注文主の住所が記述された注文主情報とを含む注文データを作成する注文データ作成手段と、前記注文データを前記振り分けサーバに送信すると共に、前記振り分けサーバから送信された前記デザイン情報と前記注文主情報とを受信した前記注文主の住所の最寄りの第１の印刷物発送拠点で印刷されたサンプル印刷物に対する確認情報を前記振り分けサーバに送信する注文指示手段と、を少なくとも備え、前記振り分けサーバは、前記注文主の端末から前記注文データを受信し、前記注文主情報から前記注文主の住所の最寄りの前記第１の印刷物発送拠点を特定すると共に、前記宛先情報から前記印刷物の各々の発送先の住所の最寄りの１又は複数の第２の印刷物発送拠点を特定する発送拠点特定手段と、前記注文主の端末から前記注文データを受信したら、前記第１の印刷物発送拠点に前記デザイン情報と前記注文主情報とを送信し、前記注文主の端末から前記確認情報を受信したら、各々の前記第２の印刷物発送拠点に前記デザイン情報と該第２の印刷物発送拠点に対応する個々の前記宛先情報とを送信する振り分け手段と、各々の前記第２の印刷物発送拠点の前記拠点端末から送信される前記印刷物の発送済み情報を受信し、全ての前記第２の印刷物発送拠点から前記発送済み情報を受信したら、前記注文主の端末に発送完了情報を通知する通知手段と、を少なくとも備え、前記第１の印刷物発送拠点は、前記振り分けサーバから前記デザイン情報と前記注文主情報とを受信する拠点端末と、該拠点端末の指示に従って、前記デザイン情報に基づくデザインと前記注文主情報に基づく前記注文主の住所とが印刷された前記サンプル印刷物を作成する印刷装置と、を少なくとも備え、各々の前記第２の印刷物発送拠点は、前記振り分けサーバから前記デザイン情報と該第２の印刷物発送拠点に対応する個々の発送先の住所が記述された宛先情報とを受信すると共に、前記印刷物を各々の宛先に発送したことを示す発送済み情報を前記振り分けサーバに送信する拠点端末と、該拠点端末の指示に従って、前記デザイン情報に基づくデザインと個々の前記宛先情報に基づく住所とが印刷された前記印刷物を作成する印刷装置と、を少なくとも備えるものである。
【００１５】
また、本発明の方法は、注文主の端末と、振り分けサーバと、印刷物の作成及び発送を行う印刷物発送拠点とが通信ネットワークを介して接続されてなる注文処理システムにおける注文処理方法であって、前記注文主の端末で、前記印刷物に印刷するデザイン情報と、前記印刷物を発送する１又は複数の住所が記述された宛先情報と、前記注文主の住所が記述された注文主情報とを含む注文データを作成するステップと、前記注文データを前記振り分けサーバに送信するステップと、前記注文データを受信した前記振り分けサーバで、前記注文主情報から前記注文主の住所の最寄りの第１の印刷物発送拠点を特定するステップと、前記第１の印刷物発送拠点に前記デザイン情報と前記注文主情報とを送信するステップと、前記デザイン情報と前記注文主情報とを受信した前記第１の印刷物発送拠点で、前記デザイン情報に基づくデザインと前記注文主情報に基づく前記注文主の住所とを印刷してサンプル印刷物を作成するステップと、前記サンプル印刷物を受領し、前記注文主の端末から、前記サンプル印刷物に対する確認情報を前記振り分けサーバに送信するステップと、前記確認情報を受信した前記振り分けサーバで、前記宛先情報から前記印刷物の各々の発送先の住所の最寄りの１又は複数の第２の印刷物発送拠点を特定するステップと、各々の前記第２の印刷物発送拠点に前記デザイン情報と該第２の印刷物発送拠点に対応する個々の前記宛先情報とを送信するステップと、前記デザイン情報と個々の前記宛先情報とを受信した各々の前記第２の印刷物発送拠点で、前記デザイン情報に基づくデザインと個々の前記宛先情報に基づく住所とを印刷して前記印刷物を作成するステップと、を少なくとも備えるものである。
【００１６】
また、本発明の方法は、注文主の端末と、振り分けサーバと、印刷物の作成及び発送を行う印刷物発送拠点とが通信ネットワークを介して接続されてなる注文処理システムにおける注文処理方法であって、前記注文主の端末で、前記印刷物に印刷するデザイン情報と、前記印刷物を発送する１又は複数の住所が記述された宛先情報と、前記注文主の住所が記述された注文主情報とを含む注文データを作成するステップと、前記注文データを前記振り分けサーバに送信するステップと、前記注文データを受信した前記振り分けサーバで、前記注文主情報から前記注文主の住所の最寄りの第１の印刷物発送拠点を特定するステップと、前記第１の印刷物発送拠点に前記デザイン情報と前記注文主情報とを送信するステップと、前記デザイン情報と前記注文主情報とを受信した前記第１の印刷物発送拠点で、前記デザイン情報に基づくデザインと前記注文主情報に基づく前記注文主の住所とを印刷してサンプル印刷物を作成するステップと、前記サンプル印刷物を受領し、前記注文主の端末から、前記サンプル印刷物に対する確認情報を前記振り分けサーバに送信するステップと、前記確認情報を受信した前記振り分けサーバで、前記宛先情報から前記印刷物の各々の発送先の住所の最寄りの１又は複数の第２の印刷物発送拠点を特定するステップと、各々の前記第２の印刷物発送拠点に前記デザイン情報と該第２の印刷物発送拠点に対応する個々の前記宛先情報とを送信するステップと、前記デザイン情報と個々の前記宛先情報とを受信した前記第２の印刷物発送拠点で、前記デザイン情報に基づくデザインと個々の前記宛先情報に基づく住所とを印刷して前記印刷物を作成するステップと、前記第２の印刷物発送拠点から前記印刷物を発送後、該印刷物を発送したことを示す発送済み情報を前記振り分けサーバに送信するステップと、前記振り分けサーバで、各々の前記第２の印刷物発送拠点の前記端末から送信される前記印刷物の発送済み情報を受信し、前記印刷物を作成した全ての前記第２の印刷物発送拠点から前記発送済み情報を受信したら、前記注文主の端末に発送完了情報を送信するステップと、前記注文主の端末で前記発送完了情報を受信するステップと、を少なくとも備えるものである。
【００１７】
このように、本発明では、注文主の最寄りの第１の印刷物発送拠点で試しの印刷物を作成して注文主に発送するため、注文主が所望する印刷物を確実に作成することができ、また、各々の宛先の第２の印刷物発送拠点で印刷物を作成して各々の宛先に発送するため、印刷物を迅速に発送することができる。また、振り分けサーバでは、全ての第２の印刷物発送拠点から発送済み情報を受信したら、発送完了情報を注文主の端末に送信するため、印刷物が各々の宛先に発送されたことを容易に確認することができる。
【発明の効果】
【００１８】
本発明の注文処理プログラム、振り分けサーバ及び注文処理システム並びに注文処理方法によれば、画像データを利用した印刷物の作成、発送処理を迅速かつ確実に行うことができる。
【００１９】
その理由は、注文主の端末でデザイン情報と宛先情報と注文主情報とを含む注文データを作成して振り分けサーバに送信すると、振り分けサーバでは注文主情報に基づいて注文主の最寄りの第１の印刷物発送拠点を特定し、第１の印刷物発送拠点の拠点端末にデザイン情報と注文主情報とを送信し、第１の印刷物発送拠点ではデザイン情報と注文主情報とに基づいてサンプル印刷物を作成して注文主に発送し、注文主がサンプル印刷物を確認し、確認情報を振り分けサーバに送信すると、振り分けサーバでは、宛先情報に基づいて各々の宛先の第２の印刷物発送拠点を特定し、各々の第２の印刷物発送拠点の拠点端末にデザイン情報と各々の宛先情報とを送信し、各々の第２の印刷物発送拠点ではデザイン情報と各々の宛先情報とに基づいて印刷物を作成して各々の宛先に発送する処理を行うからである。
【００２０】
また、各々の第２の印刷物発送拠点ではデザイン情報と各々の宛先情報とに基づいて作成した印刷物を各々の宛先に発送した後、振り分けサーバに発送済み情報を送信し、振り分けサーバでは、全ての第２の印刷物発送拠点から発送済み情報を受信したら、発送完了情報を注文主の端末に送信する処理を行うからである。
【発明を実施するための最良の形態】
【００２１】
本発明に係る注文処理方法は、その好ましい一実施の形態において、注文主の端末で、デザイン情報と宛先情報と注文主情報とを含む注文データを作成する処理と、注文データを振り分けサーバに送信する処理とを行い、振り分けサーバでは、注文データの注文主情報に基づいて注文主の最寄りの第１の印刷物発送拠点を特定する処理と、第１の印刷物発送拠点の端末にデザイン情報と注文主情報とを送信する処理とを行い、第１の印刷物発送拠点では、デザイン情報と注文主情報とに基づいてサンプル印刷物を作成する処理と、そのサンプル印刷物を注文主に発送する処理を行う。また、注文主の端末では、サンプル印刷物に対する確認情報を振り分けサーバに送信する処理を行い、振り分けサーバでは、宛先情報に基づいて各々の宛先の最寄りの第２の印刷物発送拠点を特定する処理と、各々の第２の印刷物発送拠点の端末にデザイン情報と各々の宛先情報とを送信する処理とを行い、各々の第２の印刷物発送拠点では、デザイン情報と各々の宛先情報とに基づいて印刷物を作成する処理と、作成した印刷物を各々の宛先に発送する処理とを行う。更に、各々の第２の印刷物発送拠点では、印刷物の発送後、振り分けサーバに発送済み情報を送信する処理を行い、振り分けサーバでは、印刷物を作成した全ての第２の印刷物発送拠点から発送済み情報を受信すると、発送完了情報を注文主の端末に送信する処理を行う。これにより、所望の印刷物を作成し発送する処理を迅速かつ確実に行うことができる。
【実施例１】
【００２２】
上記実施形態について詳細に説明すべく、本発明の第１の実施例に係る注文処理プログラム、振り分けサーバ及び注文処理システム並びに注文処理方法について、図１乃至図１１を参照して説明する。図１は、本実施例に係る注文処理システムの構成を模式的に示す図であり、図２乃至図５は、注文主端末のバリエーションを示す図である。また、図６は、注文主端末の構成を示すブロック図であり、図７は、振り分けサーバの構成を示すブロック図である。また、図８は、本実施例の注文処理の手順を示すフローチャート図であり、図９は、本実施例の注文処理の手順を示すタイミングチャート図である。また、図１０及び図１１は、注文主端末の表示手段に表示される画面の構成例を示す図である。
【００２３】
図１に示すように、本実施例の注文処理システムは、ポストカードなどの印刷物１３を作成するための注文データを作成し、送信する注文主の端末（以下、注文主端末１と呼ぶ。）と、注文主端末１から送信された注文データを受信し、注文の振り分け、管理を行う振り分けサーバ１２と、ポストカードなどの印刷物１３やサンプル印刷物１３ａを作成し、所定の宛先に発送する印刷物発送拠点（注文主の住所の最寄りの第１の印刷物発送拠点及び各々の宛先の最寄りの１又は複数の第２の印刷物発送拠点）とで構成され、印刷物発送拠点には、振り分けサーバ１２から注文データを受信する端末（以下、拠点端末１４と呼ぶ。）と注文データに従って印刷物１３やサンプル印刷物１３ａを作成するレーザプリンタなどの印刷装置１５とを備え、注文主端末１と振り分けサーバ１２と拠点端末１４とがインターネットなどの通信ネットワーク１１を介して接続されている。
【００２４】
また、図１及び図６に示すように、注文主端末１には、メディア装填部２に装填されたスマートメディア、コンパクトフラッシュ（登録商標）、メモリースティック（登録商標）、ＳＤメモリーカード、マルチメディアカードなどの記録媒体（以下、メディア８と呼ぶ。）、機器接続部３に接続されたデジタルカメラ７（デジタルスチルカメラ及びデジタルムービーカメラの双方を含む。）やカメラ付き携帯電話機７ａ等の撮影機器、ネットワーク接続部を用いて通信ネットワーク１１を介して接続されるサーバ、記録媒体装填部４に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９などから画像データ（静止画像データ、動画データ、画像情報を含むデータを総称して画像データと呼ぶ。）やテンプレートデータを入力するデータ入力手段１６と、印刷物１３やサンプル印刷物１３ａに印刷するためのデザインを特定するデザイン情報と、サンプル印刷物１３ａを発送する注文主の住所を特定する注文主情報と、印刷物１３を発送する各々の宛先の住所を特定する宛先情報とを含む注文データを作成するデータ作成手段１７と、ネットワーク接続部を用いて振り分けサーバ１２に注文データやサンプル印刷物１３ａに対する確認情報を送信する注文指示手段１８と、１又は複数の宛先が記述された住所録やテンプレートデータなどを記憶するハードディスクなどの記憶手段１０と、ＬＣＤ、ＣＲＴ等の表示手段５及びボタン、キーボード、マウス等の操作手段６などを備えている。
【００２５】
なお、上記各手段は注文主端末１にハードウェアとして構成されていてもよいが、コンピュータを、データ作成手段１７及び注文指示手段１８として機能させる注文処理プログラムとして構成し、該注文処理プログラムを注文主端末１にインストールして実行する構成としてもよい。また、図１では、注文主端末１としてパーソナルコンピュータを示しているが、注文主端末１の形態は任意であり、例えば、図２に示すように専用のセットトップボックスとしたり、図３に示すようにポータブルライターなどとしたり、図４に示すように、演算処理機能を備えるＨＤＤレコーダやＤＶＤレコーダ、ゲーム機などとしたり、図５に示すように、ハードディスクを備えた端末と画像データの読み取りや書き込みを行う本体とが分離可能な携帯機器としたり、演算処理機能を備えたカーナビゲーション機器などとすることもできる。
【００２６】
また、図７に示すように、振り分けサーバ１２は、通信ネットワーク１１に接続してデータの送受信を行う通信手段１２ａと、注文データの注文主情報に基づいて注文主の住所の最寄りの第１の印刷物発送拠点を特定すると共に、注文データの宛先情報に基づいて各々の宛先の最寄りの１又は複数の第２の印刷物発送拠点を特定する発送拠点特定手段１２ｂと、注文主端末１から受信した注文データの内、デザイン情報と注文主情報とを第１の印刷物発送拠点の拠点端末１４に送信し、デザイン情報と各々の宛先情報とを各々の第２の印刷物発送拠点の拠点端末１４に送信する振り分け手段１２ｃとを備えている。
【００２７】
次に、上記注文処理システムを利用した注文処理の手順について、図８のフローチャート図及び図９のタイミングチャート図を参照して説明する。
【００２８】
まず、ステップＳ１０１で、注文主端末１に予めインストールされたアプリケーションを起動すると、注文主端末１の表示手段５に画像データの入力先を指示する画面が表示される。そして、注文主端末１のメディア装填部２にメディア８を装填、又は、機器接続部３にデジタルカメラ７を接続、又は、記録媒体装填部４に記録媒体９を装填すると、データ入力手段１６は、メディア８やデジタルカメラ７、記録媒体９などから画像データを読み取る。なお、画像データの読み取り先は上記に限定されず、例えば、通信ネットワーク１１を介して接続されるサーバとしてもよいし、画像データが予め記憶された記憶手段１０としてもよい。
【００２９】
画像データの読み取りが終了すると、表示手段５に、例えば図１０に示すような画像表示画面２０が表示される。この画像表示画面２０には、画像データの読み取り元を示すタグ表示欄２１と、画像データの縮小画像を一覧表示する一覧表示欄２２と、画像データに対する作業を選択するための作業メニュー欄２３とが表示される。そして、ステップＳ１０２で、注文主は、一覧表示欄２２の中から所望の画像を選択し、作業メニュー欄２３の中から”ポストカード”を選択すると、表示手段５に、例えば図１１に示すようなデザイン作成画面２４が表示される。
【００３０】
このデザイン作成画面２４には、予め記憶手段１０に記憶されたテンプレートの中から画像に合成するテンプレートを選択するテンプレート選択欄２５と、ポストカードに印刷するデザインを表示するプレビュー欄２６と、ポストカードの作成の手順を示す手順表示欄２７とが表示され、ステップＳ１０３で、注文主が、テンプレート選択欄２５から所望のテンプレートを選択し、必要に応じて文字を入力してポストカードに印刷するデザインを作成する（図９の（１）参照）と、データ作成手段１７は、画像とテンプレートと文字などが合成されたデザインのデータ（デザイン情報）を作成する。
【００３１】
なお、ここでは、予め記憶手段１０に記憶されたテンプレートの中から所望のテンプレートを選択する構成としたが、テンプレートは記録媒体９やコンテンツサーバなどから選択してもよい。また、このステップで作成するデザインは少なくとも画像データに基づく画像が含まれていれば良く、テンプレートや文字などは任意である。
【００３２】
次に、手順表示欄２７に従って、サンプル印刷物１３ａの発送先（注文主情報）を入力し、予め記憶手段１０に記憶されている住所録の中から、印刷物１３を発送する１又は複数の宛先（宛先情報）を選択すると、データ作成手段１７は、上記デザイン情報と宛先情報と注文主情報とを含む注文データを作成する。
【００３３】
なお、注文主情報は必ずしも注文主の居住場所である必要はなく、その注文主にサンプル印刷物１３ａを届けることができる場所であればよい。また、ここでは予め記憶された住所録の中から宛先を選択する構成としたが、操作手段６を用いて注文主が宛先を直接入力してもよい。
【００３４】
次に、ステップＳ１０４で、注文指示手段１８は、上記注文データ（デザイン情報、宛先情報、注文主情報）を通信ネットワーク１１を介して振り分けサーバ１２に送信する（図９の（２）参照）。
【００３５】
次に、ステップＳ１０５で、振り分けサーバ１２は、通信手段１２ａを用いて注文データを受信し、発送拠点特定手段１２ｂを用いて、注文データの中から注文主情報を抽出し、注文主情報で特定される住所と予め記憶された各々の印刷物発送拠点の住所とを比較することにより、注文主情報で特定される注文主の住所に最も近い場所にある印刷物発送拠点（第１の印刷物発送拠点）を特定する（図９の（３）参照）。
【００３６】
そして、ステップＳ１０６で、振り分けサーバ１２は、振り分け手段１２ｃを用いて、第１の印刷物発送拠点の拠点端末１４に、注文データの中のデザイン情報と注文主情報とを送信する（図９の（４）参照）。
【００３７】
ここで、従来の方法では、注文主がコンピュータ端末上で作成したデザインのイメージとポストカードに実際に印刷されたデザインのイメージとが合致しなかったり、サンプルを作成する場合は注文主が写真店に出向いてポストカードの出来映えを確認しなければならず、印刷物１３を迅速かつ確実に作成することができないという問題があった。そこで、本実施例では、上記問題を回避するために、ステップＳ１０７で、第１の印刷物発送拠点の拠点端末１４は、デザイン情報と注文主情報とを受信し、印刷装置１５を用いて、ポストカードにデザイン情報に基づいてデザインを印刷すると共に、注文主情報に基づいて注文主の住所を印刷して、確認用の印刷物（サンプル印刷物１３ａ）を作成し（図９の（５）参照）、そのサンプル印刷物１３ａを注文主に発送する（図９の（６）参照）。
【００３８】
次に、ステップＳ１０８で、注文主はサンプル印刷物１３ａを受領し、ステップＳ１０９で、サンプル印刷物１３ａに印刷されたデザインを確認し（図９の（７）参照）、出来映えが希望通りであるか否かを判断する。そして、確認の結果、デザインを修正する場合はステップＳ１０３に戻って同様の処理を行い、ＯＫの場合は、ステップＳ１１０で、注文主は注文主端末１を操作して、振り分けサーバ１２に対してサンプル印刷物１３ａを確認したことを示す確認情報を送信する（図９の（８）参照）。
【００３９】
なお、確認情報の具体的構成は任意であり、サンプル印刷物１３ａが確認されたか否かを振り分けサーバ１２が判断できる情報であればよい。また、確認情報の送信方法も特に限定されず、例えば、サンプル印刷物１３ａに振り分けサーバ１２のアドレスを記入しておき、注文主端末１を用いてそのアドレスに確認情報を送信したり、図１１のデザイン作成画面２４の手順表示欄２７で”注文確認”を選択すると画面上に確認ボタンが表示され、その確認ボタンを押すと確認情報が送信されるようにすることができる。
【００４０】
次に、振り分けサーバ１２は、通信手段１２ａを用いて確認情報を受信し、ステップＳ１１１で、発送拠点特定手段１２ｂを用いて、注文データの中から宛先情報を抽出し、宛先情報の各々の宛先で特定される住所と予め記憶された各々の印刷物発送拠点の住所とを比較して、各々の宛先で特定される住所に最も近い１又は複数の第２の印刷物発送拠点を特定し（図９の（９）参照）、ステップＳ１１２で、振り分け手段１２ｃを用いて、特定した各々の第２の印刷物発送拠点に、デザイン情報と対応する各々の宛先情報とを送信する（図９の（１０）参照）。
【００４１】
ここで、注文店で印刷物１３を作成する場合は、作成した印刷物１３を注文主に発送し、宛先を書き込んだ印刷物１３を注文主が投函し、投函された印刷物１３を各々の宛先の第２の印刷物発送拠点に配送し、その印刷物１３を各々の第２の印刷物発送拠点から各々の宛先に発送しなければならず、迅速に印刷物１３を発送することができないという問題があった。そこで本実施例では、上記問題を回避するために、ステップＳ１１３で、各々の第２の印刷物発送拠点の拠点端末１４は、デザイン情報と各々の宛先情報とを受信し、印刷装置１５を用いて、ポストカードにデザイン情報に基づいてデザインを印刷すると共に、各々の宛先情報に基づいて宛先の住所を印刷して印刷物１３を作成する（図９の（１１）参照）。そして、各々の第２の印刷物発送拠点は、作成した印刷物１３を各々の宛先に発送する（図９の（１２）参照）。
【００４２】
このように、本実施例によれば、注文主の住所の最寄りの第１の印刷物発送拠点でサンプル印刷物１３ａを作成して注文主に発送するため、注文主が所望する印刷物１３を確実に作成することができ、また、各々の宛先の第２の印刷物発送拠点で印刷物１３を作成して各々の宛先に発送するため、所望の印刷物１３を迅速に発送することができる。
【実施例２】
【００４３】
次に、本発明の第２の実施例に係る注文処理システム及び注文処理方法について、図１２乃至図１４を参照して説明する。図１２は、本実施例の振り分けサーバの構成を示すブロック図である。また、図１３は、本実施例の注文処理の手順を示すフローチャート図であり、図１４は、本実施例の注文処理の手順を示すタイミングチャート図である。
【００４４】
前記した第１の実施例では、注文主が作成した注文データに基づいて印刷物１３を作成し、各々の宛先に発送するまでの処理を記載したが、本発明の方法の場合、注文主自身が印刷物を発送する処理を行わないため、いつ印刷物１３が発送されたかが分からない。そこで、本実施例では、印刷物１３が各々の宛先に確実に発送されたことを注文主に知らせることができるように構成する。
【００４５】
この場合、本実施例の注文処理システムの基本的な構成は前記した第１の実施例の図１と同様であるが、本実施例では、各々の第２の印刷物発送拠点の拠点端末１４に、印刷物１３を発送したことを示す発送済み情報を送信する手段を備え、振り分けサーバ１２には、図１２に示すように、通信手段１２ａと発送拠点特定手段１２ｂと振り分け手段１２ｃに加えて、印刷物１３の発送を行った全ての第２の印刷物発送拠点の拠点端末１４から発送済み情報を受信すると、注文主端末１に全ての印刷物１３の発送が完了したことを示す発送完了情報を送信する発送管理手段１２ｄを備える。
【００４６】
以下、その具体的な手順について、図１３のフローチャート図及び図１４のタイミングチャート図を参照して説明する。
【００４７】
まず、前記した第１の実施例と同様に、ステップＳ２０１で、注文主は注文主端末１を用いてデザイン情報と宛先情報と注文主情報とを含む注文データを作成して振り分けサーバ１２に送信する。次に、ステップＳ２０２で、振り分けサーバ１２では、注文主の最寄りの第１の印刷物発送拠点を特定し、第１の印刷物発送拠点の拠点端末１４に、デザイン情報と注文主情報とを送信する。次に、ステップＳ２０３で、第１の印刷物発送拠点の拠点端末１４は、デザイン情報と注文主情報とを受信し、印刷装置１５を用いてサンプル印刷物１３ａを作成し、そのサンプル印刷物１３ａを注文主に発送する。
【００４８】
次に、ステップＳ２０４で、注文主はサンプル印刷物１３ａを確認し、振り分けサーバ１２に確認情報を送信すると、ステップＳ２０５で、振り分けサーバ１２は、各々の宛先で特定される住所に最も近い第２の印刷物発送拠点を特定し、各々の第２の印刷物発送拠点にデザイン情報と各々の宛先情報とを送信する。次に、ステップＳ２０６で、各々の第２の印刷物発送拠点の拠点端末１４では、デザイン情報と各々の宛先情報とを受信し、印刷装置１５を用いて印刷物１３を作成し、その印刷物１３を各々の宛先に発送する。
【００４９】
ここまでの処理は第１の実施例と同様であるが、本実施例では、更に、ステップＳ２０７で、各々の第２の印刷物発送拠点は、各々の宛先に印刷物１３を発送した後、拠点端末１４を用いて、印刷物１３を発送したことを示す発送済み情報を振り分けサーバ１２に送信する（図１４の（１３）参照）。この発送済み情報の具体的構成は任意であり、振り分けサーバ１２がどの宛先に対して印刷物１３が発送されたかを識別できる情報であればよく、例えば、各々の宛先と印刷物１３を発送した日時とを対応付けた情報などとすることができる。また、所定の第２の印刷物発送拠点から複数の宛先に印刷物１３を発送する場合は、各々の宛先に印刷物１３を発送する毎に発送済み情報を送信してもよいし、その第２の印刷物発送拠点で全ての宛先に印刷物１３を発送した後に、発送済み情報を送信してもよい。
【００５０】
次に、ステップＳ２０８で、振り分けサーバ１２は、発送管理手段１２ｄを用いて、各々の第２の印刷物発送拠点の拠点端末１４から送信される発送済み情報を管理し（図１４の（１４）参照）、ステップＳ２０９で、注文データの宛先情報で特定される全ての宛先に対する発送済み情報を受信したら、ステップＳ２１０で、全ての宛先に対して印刷物１３が発送されたことを示す発送完了情報を注文主端末１に送信し（図１４の（１５）参照）、ステップＳ２１１で、注文主端末１は発送完了情報を受信して、注文主は全ての宛先に対して印刷物１３が発送されたことを知る。この発送完了情報の具体的構成は任意であり、注文主が全ての宛先に対して印刷物１３が発送されたことを識別できる情報であればよく、例えば、各々の宛先と印刷物１３を発送した日時とを対応付けた情報などとすることができる。
【００５１】
このように、本実施例によれば、振り分けサーバ１２では、全ての第２の印刷物発送拠点の拠点端末１４から発送済み情報を受信したら、発送完了情報を注文主端末１に送信するため、注文主は印刷物１３が全ての宛先に確実に発送されたことを容易に確認することができる。
【００５２】
なお、上記では、第１の印刷物発送拠点と第２の印刷物発送拠点とを便宜上分けて説明したが、注文主の住所といずれかの宛先の住所とが近い場合は、第１の印刷物発送拠点でサンプル印刷物１３ａと印刷物１３の双方を作成すればよい。また、上記各実施例では、ポストカードを作成する場合を示したが、本発明は上記実施例に限定されるものではなく、画像データを利用した印刷物を作成し発送する任意の処理に対して同様に適用することができる。
【産業上の利用可能性】
【００５３】
本発明は、画像データを利用した印刷物を作成し発送する処理を行うプログラム、サーバ及びシステム並びに方法に適用することができる。
【図面の簡単な説明】
【００５４】
【図１】本発明の第１の実施例に係る注文処理システムの構成を模式的に示す図である。
【図２】本発明の第１の実施例に係る注文主端末の他の構成を示す図である。
【図３】本発明の第１の実施例に係る注文主端末の他の構成を示す図である。
【図４】本発明の第１の実施例に係る注文主端末の他の構成を示す図である。
【図５】本発明の第１の実施例に係る注文主端末の他の構成を示す図である。
【図６】本発明の第１の実施例に係る注文主端末の構成を示すブロック図である。
【図７】本発明の第１の実施例に係る振り分けサーバの構成を示すブロック図である。
【図８】本発明の第１の実施例に係る注文処理の手順を示すフローチャート図である。
【図９】本発明の第１の実施例に係る注文処理の手順を示すタイミングチャート図である。
【図１０】本発明の第１の実施例に係る注文主端末の表示手段に表示される画面構成例（画像表示画面）を示す図である。
【図１１】本発明の第１の実施例に係る注文主端末の表示手段に表示される画面構成例（デザイン作成画面）を示す図である。
【図１２】本発明の第２の実施例に係る振り分けサーバの構成を示すブロック図である。
【図１３】本発明の第２の実施例に係る注文処理の手順を示すフローチャート図である。
【図１４】本発明の第２の実施例に係る注文処理の手順を示すタイミングチャート図である。
【符号の説明】
【００５５】
１  注文主端末
２  メディア装填部
３  機器接続部
４  記録媒体装填部
５  表示手段
６  操作手段
７  デジタルカメラ
７ａ  カメラ付き携帯電話機
８  メディア
９  記録媒体
１０  記憶手段
１１  通信ネットワーク
１２  振り分けサーバ
１２ａ  通信手段
１２ｂ  発送拠点特定手段
１２ｃ  振り分け手段
１２ｄ  発送管理手段
１３  印刷物
１３ａ  サンプル印刷物
１４  拠点端末
１５  印刷装置
１６  データ入力手段
１７  データ作成手段
１８  注文指示手段
２０  画像表示画面
２１  タグ表示欄
２２  一覧表示欄
２３  作業メニュー欄
２４  デザイン作成画面
２５  テンプレート選択欄
２６  プレビュー欄
２７  手順表示欄
【図１】
2007310556.tif 000003
【図２】
2007310556.tif 000004
【図３】
2007310556.tif 000005
【図４】
2007310556.tif 000006
【図５】
2007310556.tif 000007
【図６】
2007310556.tif 000008
【図７】
2007310556.tif 000009
【図８】
2007310556.tif 000010
【図９】
2007310556.tif 000011
【図１０】
2007310556.tif 000012
【図１１】
2007310556.tif 000013
【図１２】
2007310556.tif 000014
【図１３】
2007310556.tif 000015
【図１４】
2007310556.tif 000016